(57)【要約】【課題】リレーユニット等の外部部品の接続構造の簡略化によるコスト低減および外部部品の接続の容易化が図られた電気接続箱を提供すること。【解決手段】電気部品が実装される配線基板１２をケース１１内に収容する。配線基板１２に接続された基板端子３３を有するリレー取付部２１を設け、このリレー取付部２１の一部をケース１１の外面側へ突出させ、このリレー取付部２１に、リレーユニット２５が取り付けられるアダプタ２２を着脱可能とする。アダプタ２２をリレー取付部２１に取り付けることにより、リレーユニット２５の接続端子５２とリレー取付部２１の基板端子３３とを直接接続させる。【選択図】図２
2007282453.tif 000002
【特許請求の範囲】
【請求項１】
電気部品が実装される配線基板と、
該配線基板を覆うケースと、
を備えた電気接続箱であって、
前記配線基板には、この配線基板に接続された基板端子を有する外部部品取付部が、その一部を前記ケースの外面側へ突出させた状態に設けられ、そして
該外部部品取付部には、外部部品が取り付けられるアダプタが着脱可能に取り付けられて前記外部部品の接続端子と前記外部部品取付部の基板端子とが直接接続されることを特徴とする電気接続箱。
【請求項２】
前記アダプタには嵌合孔が形成され、そして
該嵌合孔に、前記外部部品取付部の前記基板端子を収納する収納部が嵌合されることを特徴とする請求項１に記載した電気接続箱。
【請求項３】
前記アダプタには、ワイヤハーネスからの電線に接続された配線端子が保持され、そして
当該アダプタに前記外部部品を取り付けることにより、前記配線端子に前記外部部品の接続端子が接続されることを特徴とする請求項１または請求項２に記載した電気接続箱。
【請求項４】
前記外部部品取付部および前記アダプタには、互いに係合する係合手段が設けられていることを特徴とする請求項１〜請求項３のいずれか一項に記載した電気接続箱。
【発明の詳細な説明】
【技術分野】
【０００１】
本発明は、リレーユニット等の外部部品が取り付けられる電気接続箱に関する。
【背景技術】
【０００２】
従来から、自動車等の車両には、半導体リレー、メカニカルリレー、ヒューズ、ＩＰＳ（即ち、Ｉｎｔｅｌｌｉｇｅｎｔ  Ｐｏｗｅｒ  Ｓｗｉｔｃｈ）、パワー用導電路（即ち、導電性回路パターン等）、電気コネクタ、等といった電気部品を搭載した電気接続箱が設けられている。
【０００３】
この電気接続箱には、オプション回路用のリレーを搭載したリレーユニットが取り付けられるように、接続部を備えたものが知られている（例えば、特許文献１参照）。
【０００４】
ところで、上記電気接続箱は、コネクタを介してリレーユニットが取り付けられる構造を備えているが、このコネクタには、リレーユニットの端子と電気接続箱内の配線基板の端子とを電気的に接続するための複雑な形状のバスバを有するため、コストアップを招いてしまう。
【０００５】
また、リレーユニットを電気接続箱へ取り付けるためには、コネクタのバスバと配線基板の端子とを接続させるとともに、電気接続箱のケースとコネクタとを係合させて機械的に接続させる必要があり、接続時の負荷が大きい。
【０００６】
【特許文献１】特開平５−１６８１２５号公報
【発明の開示】
【発明が解決しようとする課題】
【０００７】
本発明は、上述した事情に鑑みてなされたものであり、その目的は、リレーユニット等の外部部品の接続構造の簡略化によるコスト低減および外部部品の接続の容易化が図られた電気接続箱を提供することにある。
【課題を解決するための手段】
【０００８】
前述した目的を達成するため、本発明に係る電気接続箱は、下記（１）〜（４）を特徴としている。
（１）  電気部品が実装される配線基板と、
該配線基板を覆うケースと、
を備えた電気接続箱であって、
前記配線基板には、この配線基板に接続された基板端子を有する外部部品取付部が、その一部を前記ケースの外面側へ突出させた状態に設けられ、そして
該外部部品取付部には、外部部品が取り付けられるアダプタが着脱可能に取り付けられて前記外部部品の接続端子と前記外部部品取付部の基板端子とが直接接続されること。
（２）  上記（１）の構成の電気接続箱において、
前記アダプタには嵌合孔が形成され、そして
該嵌合孔に、前記外部部品取付部の前記基板端子を収納する収納部が嵌合されること。
（３）  上記（１）または（２）の構成の電気接続箱において、
前記アダプタには、ワイヤハーネスからの電線に接続された配線端子が保持され、そして
当該アダプタに前記外部部品を取り付けることにより、前記配線端子に前記外部部品の接続端子が接続されること。
（４）  上記（１）〜（３）のいずれかの構成の電気接続箱において、
前記外部部品取付部および前記アダプタには、互いに係合する係合手段が設けられていること。
【０００９】
上記（１）の構成の電気接続箱によれば、ケース内に収容された配線基板に基板端子を有する外部部品取付部を設け、この外部部品取付部にアダプタを取り付けることにより、このアダプタに取り付けた外部部品の接続端子が基板端子に直接接続される構造とし、外部部品の接続端子を基板端子に導通させるための複雑形状のバスバを不要としたので、部品点数の削減および構造の簡略化を図り、低コスト化を図ることができる。
特に、上記（２）の構成の電気接続箱のように、アダプタに嵌合孔を形成し、嵌合孔に、外部部品取付部の基板端子を収納する収納部を嵌合させる構造とすれば、外部部品取付部へのアダプタの取り付け作業の簡略化を図ることができる。また、外部部品取付部へアダプタを取り付ける際には、単に嵌合孔へ外部部品取付部の収納部を嵌合させれば良いので、アダプタの取り付け時における負荷を低減し、取り付け作業の容易化を図ることができる。
そして、上記（３）の構成の電気接続箱のように、アダプタにワイヤハーネスからの電線が接続された配線端子を保持させ、このアダプタに外部部品を取り付けることにより、配線端子に外部部品の接続端子が接続される構造とすれば、外部部品の接続端子とワイヤハーネスの配線端子との接続作業の容易化を図ることができる。
また、上記（４）の構成の電気接続箱のように、外部部品取付部およびアダプタに、互いに係合する係合手段を設けたので、外部部品取付部へのアダプタの取り付け状態を良好に維持することができ、外部部品の接続の信頼性を高めることができる。
【発明の効果】
【００１０】
本発明によれば、リレーユニット等の外部部品の接続構造の簡略化によるコスト低減および外部部品の接続の容易化を図ることができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図面に基づいて詳細に説明する。
【００１３】
図１は本発明に係る電気接続箱の一実施形態を示す電気接続箱の概略平面図、図２は図１の電気接続箱の一部の断面図、図３（ａ）〜（ｃ）はリレー取付部に接続可能なアダプタを示す図、そして図４（ａ）および（ｂ）はアダプタに接続されるリレーユニットを示す図である。
【００１４】
図１に示されるように、電気接続箱１０は、ケース１１と、このケース内に収容された配線基板１２とを備えている。
【００１５】
配線基板１２には、ヒューズ１３、リレー１４、コネクタ１５，１６、等の電気部品が実装されており、コネクタ１５，１６には、ワイヤハーネス２３の電線２３ａに接続されたコネクタ（図示略）が接続されている。
【００１６】
また、図２にも示すように、電気接続箱１０は、リレー取付部（外部部品取付部）２１を有しており、このリレー取付部２１には、アダプタ２２が着脱可能に取り付けられている。このリレー取付部２１に取り付けられたアダプタ２２には、ワイヤハーネス２３からのリレー用電線２３ｂが接続されている。そして、このアダプタ２２には、リレーユニット（外部部品）２５が取り付けられる。
【００１７】
図２に示すように、リレー取付部２１は、合成樹脂によって一体成形されたもので、タッピングネジ３２によって配線基板１２に固定されている。尚、リレー取付部２１は、タッピングネジ３２によらず、熱かしめ等によって配線基板１２に固定しても良い。
【００１８】
このリレー取付部２１には、音叉端子からなる基板端子３３が収納された収納部３４を有し、この収納部３４に収納された基板端子３３は、配線基板１２にハンダ付けされ、配線基板１２の配線パターンと電気的に接続されている。また、このリレー取付部２１には、係合段部３５を有する係合部３６が、収納部３４に沿って立設されている。
【００１９】
図３（ａ）〜（ｃ）にも示すように、アダプタ２２は、合成樹脂によって一体成形されたもので、その一端側には、ワイヤハーネス２３のリレー用電線２３ｂが接続された複数の雌端子からなる配線端子４１が保持されている。このアダプタ２２には、リレー取付部２１の収納部３４が嵌合可能な嵌合孔４２が形成されている。更に、アダプタ２２には、リレー取付部２１の係合部３６が挿入可能な係合孔４３が形成されており、この係合孔４３を構成する壁部４４には、リレー取付部２１の係合部３６に形成された係合段部３５に係合可能な爪部４５が形成されている。
【００２０】
図４（ａ）および（ｂ）に示すように、リレーユニット２５は、箱形に形成されたもので、その下面側には、アダプタ２２の配線端子４１に接続可能な接続端子５１と、リレー取付部２１の基板端子３３に接続可能な接続端子５２とが設けられている。
【００２１】
上記構成の電気接続箱１０に対してリレーユニット２５を取り付けるには、まず、アダプタ２２を、その嵌合孔４２および係合孔４３にリレー取付部２１の収納部３４および係合部３６がそれぞれ挿入されるようにリレー取付部２１の上方から押し込む。これにより、係合部３６の係合段部３５とアダプタ２２の爪部４５とが係合してリレー取付部２１へのアダプタ２２の取り付け状態が維持される。
【００２２】
次いで、リレーユニット２５を、リレー取付部２１に取り付けたアダプタ２２へ取り付ける。このようにすると、リレーユニット２５の接続端子５１がアダプタ２２の配線端子４１に接続されるとともに、接続端子５２がリレー取付部２１の収納部３４の基板端子３３に接続される。
【００２３】
尚、電気接続箱１０へのリレーユニット２５の取り付け順序は、上記の例に限らず、アダプタ２２にリレーユニット２５を取り付けた後に、このアダプタ２２をリレー取付部２１に取り付けても良い。
【００２４】
具体的には、まず、リレーユニット２５の接続端子５１をアダプタ２２の配線端子４１に接続させることにより、リレーユニット２５をアダプタ２２に取り付ける。
【００２５】
次いで、このリレーユニット２５が接続されたアダプタ２２を、その嵌合孔４２および係合孔４３に、リレー取付部２１の収納部３４および係合部３６がそれぞれ挿入されるようにリレー取付部２１の上方から押し込む。これにより、収納部３４の基板端子３３がアダプタ２２に取り付けられたリレーユニット２５の接続端子５２と接続され、更に、係合部３６の係合段部３５とアダプタ２２の爪部４５とが係合してリレー取付部２１へのアダプタ２２の取り付け状態が維持される。
【００２６】
ここで、本発明の更なる優位性を説明するための参考例を示す。
【００２７】
図５に示される電気接続箱の例では、配線基板１２を収容するケース１１に接合部６１を形成し、この接合部６１に、リレーユニット２５の接続端子５１，５２が接続可能な配線端子６２を設けたアダプタ６３が着脱可能とされている。
【００２８】
この構造の電気接続箱では、アダプタ６３の内部にバスバ等の部品が不要であるが、アダプタ６３へ接続するリレー用電線２３ｂの本数が多くなってしまい、ワイヤハーネス２３の生産性が低下してしまう。
【００２９】
これに対して、実施形態の電気接続箱１０では、アダプタ２２を介してリレーユニット２５をリレー取付部２１へ取り付けることにより、リレーユニット２５の接続端子５２が配線基板１２の配線パターンに導通された基板端子３３に接続される構造であるので、ワイヤハーネス２３のリレー用電線２３ｂを接続することなく、配線基板１２の電源等の回路と接続することができる。
【００３０】
これにより、リレーユニット２５へ繋ぐワイヤハーネス２３のリレー用電線２３ｂの本数を削減することができ、ワイヤハーネス２３の簡略化を図り、生産性を向上させることができる。
【００３１】
以上、説明したように、本実施形態に係る電気接続箱１０によれば、ケース１１内に収容された配線基板１２に基板端子３３を有するリレー取付部２１を設け、このリレー取付部２１にアダプタ２２を取り付けることにより、このアダプタ２２に取り付けたリレーユニット２５の接続端子５２が基板端子３３に直接接続される構造とし、リレーユニット２５の接続端子５２を基板端子３３に導通させるための複雑形状のバスバを不要としたので、部品点数の削減および構造の簡略化を図り、低コスト化を図ることができる。
【００３２】
特に、アダプタ２２に嵌合孔４２を形成し、嵌合孔４２に、リレー取付部２１の基板端子３３を収納する収納部３４を嵌合させる構造としたので、リレー取付部２１へのアダプタ２２の取り付け作業の簡略化を図ることができる。また、リレー取付部２１へアダプタ２２を取り付ける際には、単に嵌合孔４２へリレー取付部２１の収納部３４を嵌合させれば良いので、アダプタ２２の取り付け時における負荷を低減し、取り付け作業の容易化を図ることができる。
【００３３】
また、アダプタ２２にワイヤハーネス２３からのリレー用電線２３ｂが接続された配線端子４１を保持させ、このアダプタ２２にリレーユニット２５を取り付けることにより、配線端子４１にリレーユニット２５の接続端子５１が接続される構造としたので、リレーユニット２５の接続端子５１とワイヤハーネス２３の配線端子４１との接続作業の容易化を図ることができる。
【００３４】
更に、リレー取付部２１およびアダプタ２２に、互いに係合する係合手段である係合段部３５および爪部４５を設けたので、リレー取付部２１へのアダプタ２２の取り付け状態を良好に維持することができ、リレーユニット２５の接続の信頼性を高めることができる。
【００３５】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【図面の簡単な説明】
【００３６】
【図１】本発明に係る電気接続箱の一実施形態を示す電気接続箱の概略平面図である。
【図２】図１の電気接続箱の一部の断面図である。
【図３】リレー取付部に接続可能なアダプタを示す図であり、（ａ）は平面図、（ｂ）は正面図、そして（ｃ）は断面図である。
【図４】アダプタに接続されるリレーユニットを示す図であり、（ａ）は平面図、そして（ｂ）は側面図である。
【図５】参考例を説明する電気接続箱の概略平面図である。
【符号の説明】
【００３７】
１０：電気接続箱
１１：ケース
１２：配線基板
１３：ヒューズ（電気部品）
１４：リレー（電気部品）
１５，１６：コネクタ（電気部品）
２１：リレー取付部（外部部品取付部）
２２：アダプタ
２３：ワイヤハーネス
２３ｂ：リレー用電線（電線）
２５：リレーユニット（外部部品）
３３：基板端子
３４：収納部
３５：係合段部（係合手段）
４１：配線端子
４２：嵌合孔
４５：爪部（係合手段）
５１，５２：接続端子
【図１】
2007282453.tif 000003
【図２】
2007282453.tif 000004
【図３】
2007282453.tif 000005
【図４】
2007282453.tif 000006
【図５】
2007282453.tif 000007